(57)【要約】【課題】  運用中の光パスに影響を与えることなく伝送する光パスの増減を可能にする。【解決手段】  互いに光周波数の異なる信号光を出力する複数の光信号送信部から出力された各光周波数の信号光をそれぞれ２分岐して第１の方路切替部および第２の方路切替部に入力し、それぞれ対応する出力ポートから出力された信号光の一方を選択して出力する光伝送装置において、２×１光スイッチで非選択側の方路切替部を入出力ポート数の大きい第３の方路切替部に置き換え、光分岐器および２×１光スイッチにそれぞれ接続し、増設する光信号送信部の出力を増設する光分岐器を介して第３の方路切替部に接続し、第３の方路切替部の出力側に増設する２×１光スイッチを接続し、すべての２×１光スイッチを第３の方路切替部の出力を選択するように切り替える構成である。【選択図】        図１
2005210278.tif 000002
【特許請求の範囲】
【請求項１】
互いに光周波数の異なる信号光を出力する複数の光信号送信部と、
前記光信号送信部から出力された各光周波数の信号光をそれぞれ２分岐する複数の光分岐器と、
前記光分岐器で分岐された各光周波数の一方の信号光を入力し、それぞれ所定の方路に出力する第１の方路切替部と、
前記光分岐器で分岐された各光周波数の他方の信号光を入力し、それぞれ所定の方路に出力する第２の方路切替部と、
前記第１の方路切替部および前記第２の方路切替部のそれぞれ対応する出力ポートから出力された信号光の一方を選択して出力する複数の２×１光スイッチと
を備えた光伝送装置において、
前記２×１光スイッチで非選択側の方路切替部を入出力ポート数の異なる第３の方路切替部に置き換え、前記光分岐器および前記２×１光スイッチにそれぞれ接続し、増設する光信号送信部の出力を増設する光分岐器を介して第３の方路切替部に接続し、第３の方路切替部の出力側に増設する２×１光スイッチを接続し、すべての２×１光スイッチを第３の方路切替部の出力を選択するように切り替える構成である
ことを特徴とする光伝送装置。
【請求項２】
請求項１に記載の光伝送装置において、
前記２×１光スイッチは無瞬断で切り替える構成を有し、前記第１の方路切替部または前記第２の方路切替部から前記第３の方路切替部への切り替えを無瞬断で行う
ことを特徴とする光伝送装置。
【請求項３】
請求項１または請求項２に記載の光伝送装置において、
前記方路切替部は、各ポートごとに中心光周波数νi に対して少なくとも±Δνの透過帯域が設定されており、既存の光信号送信部の光周波数νi をνi ＋Δνに変更し、新たに増設する光信号送信部の光周波数をνi −Δνに設定する構成であり、
前記光周波数νi ＋Δνの信号光および前記光周波数νi −Δνの信号光を合波して前記方路切替部の各入力ポートに接続する複数の光合波器と、
前記方路切替部の各出力ポートの光周波数νi ±Δνの信号光を分波する複数の光分波器とを備えた
ことを特徴とする光伝送装置。
【発明の詳細な説明】
【技術分野】
【０００１】
本発明は、波長多重光伝送システムにおいて各光周波数の信号光を送受信する光伝送装置に関する。
【背景技術】
【０００２】
波長多重光伝送システムの大容量化に向けて、単一信号光の高速化、伝送帯域の広帯域化、信号光間隔の高密度化などが進められている。単一信号光の高速化を図るには、各種高速回路の新規開発が必要になる。また、伝送帯域の広帯域化を図る場合に、従来の光増幅器の利得帯域外まで広げるためには、新しい光増幅方式の開発が必要になる。信号光間隔の高密度化を図るには、周波数利用効率を向上する光変復調方式の開発が必要になる。
【０００３】
いずれの場合でもシステム容量の拡大は可能であるが、運用開始後の波長多重光伝送システムにおいて、予め設計された容量の上限を越える信号光を収容するためには、システム自体の増設が不可欠になる。そのため、システム設計段階において収容する容量（需要）を予測して最適なシステム規模を構築しておく必要があり、サービスの開始までに多くの時間と費用がかかっていた。また、運用開始後に需要予測が外れた場合や、システム増設を行った後に収容数が減少した場合には、設備投資が無駄になる可能性があった。
【０００４】
一方、運用している装置の高速インタフェースの交換による容量変更方法が提案されている（非特許文献１）。この容量変更方法を実現する装置構成を図５に示す。ここでは、光周波数ν1 の光パスの容量を拡張するものとする。ＯＡＤＭユニット５１でアド／ドロップされる光周波数ν1 の光パスは、高速インタフェース回路５２−１、低速インタフェース回路５３を介して入出力されている。ここで、高速インタフェース回路５２−１の容量変更作業のために光周波数νn を用意しておき、あらかじめＯＡＤＭユニット５１に収容されている光周波数νn 用の高速インタフェース回路５２−２に切り替える操作を行う。次に、高速インタフェース回路５２−１を容量の大きい高速インタフェース回路５２−３に交換し、高速インタフェース回路５２−２から高速インタフェース回路５２−３に切り戻す操作を行うことにより、高速インタフェース回路５２−１の容量（例えは 2.4Ｇbit/s ）から高速インタフェース回路５２−３の容量（例えば10Ｇbit/s や40Ｇbit/s ）へ拡大することができる。
【非特許文献１】片岡  他、”ＯＴＮベースOCH-SPRINGのパス容量変更法の検討”，2002年電子情報通信学会通信ソサイエティ大会，B-10-33 ，2002年
【発明の開示】
【発明が解決しようとする課題】
【０００５】
文献に記載の容量変更方法は、波長多重光伝送システムのＯＡＤＭユニット外の高速インタフェースの交換によるものであり、ＯＡＤＭユニット内あるいは一般的な光信号切替部における光パスの容量拡張への対応については言及されていない。
【０００６】
本発明は、運用中の光パスに影響を与えることなく伝送する光パスの増減を可能にする光伝送装置を提供することを目的とする。
【課題を解決するための手段】
【０００７】
請求項１に記載の発明は、互いに光周波数の異なる信号光を出力する複数の光信号送信部と、光信号送信部から出力された各光周波数の信号光をそれぞれ２分岐する複数の光分岐器と、光分岐器で分岐された各光周波数の一方の信号光を入力し、それぞれ所定の方路に出力する第１の方路切替部と、光分岐器で分岐された各光周波数の他方の信号光を入力し、それぞれ所定の方路に出力する第２の方路切替部と、第１の方路切替部および第２の方路切替部のそれぞれ対応する出力ポートから出力された信号光の一方を選択して出力する複数の２×１光スイッチとを備えた光伝送装置において、２×１光スイッチで非選択側の方路切替部を入出力ポート数の異なる第３の方路切替部に置き換え、光分岐器および２×１光スイッチにそれぞれ接続し、増設する光信号送信部の出力を増設する光分岐器を介して第３の方路切替部に接続し、第３の方路切替部の出力側に増設する２×１光スイッチを接続し、すべての２×１光スイッチを第３の方路切替部の出力を選択するように切り替える構成であることを特徴とする。
【０００８】
請求項２に記載の発明は、請求項１に記載の光伝送装置において、２×１光スイッチは無瞬断で切り替える構成を有し、第１の方路切替部または第２の方路切替部からから第３の方路切替部への切り替えを無瞬断で行うことを特徴とする。
【０００９】
請求項３に記載の発明は、請求項１または請求項２に記載の光伝送装置において、方路切替部は、各ポートごとに中心光周波数νi に対して少なくとも±Δνの透過帯域が設定されており、既存の光信号送信部の光周波数νi をνi ＋Δνに変更し、新たに増設する光信号送信部の光周波数をνi −Δνに設定する構成であり、光周波数νi ＋Δνの信号光および光周波数νi −Δνの信号光を合波して方路切替部の各入力ポートに接続する複数の光合波器と、方路切替部の各出力ポートの光周波数νi ±Δνの信号光を分波する複数の光分波器とを備えたことを特徴とする。
【発明の効果】
【００１０】
本発明の光伝送装置は、運用中の光パスに影響を与えることなく、非運用側の方路切替部の交換と、光信号送信部、光分岐器、２×１光スイッチの増減により、収容する光パスの増減を容易に行うことができる。
【発明を実施するための最良の形態】
【００１１】
（第１の実施形態）
図１は、本発明の光伝送装置の第１の実施形態を示す。ここでは、図５に示すＯＡＤＭユニット５１のアド側の構成のものを示す。
【００１２】
図において、光信号送信部１１−１〜１１−４は、光周波数可変光源および光変調器を備え、それぞれ異なる光周波数ν1 〜ν4 の信号光を出力する。各光周波数の信号光は、光分岐器１２−１〜１２−４を介してそれぞれ２分岐され、各光周波数の一方の信号光が第１の方路切替部１３−１を介して２×１光スイッチ１４−１〜１４−４の各一方の入力端子に接続され、各光周波数の他方の信号光が第２の方路切替部１３−２を介して２×１光スイッチ１４−１〜１４−４の各他方の入力端子に接続される。２×１光スイッチ１４−１〜１４−４は、第１の方路切替部１３−１の出力および第２の方路切替部１３−２の出力の一方を選択して出力する。例えば、通常は第１の方路切替部１３−１の出力を選択し、第２の方路切替部１３−２は予備として二重系が構成されているものとする。
【００１３】
ここで、光パスを４波から６波に増やす場合を想定する。このとき、予備系の第２の方路切替部１３−２を取り外し、６波対応の第３の方路切替部１３−３に置き換え、光分岐器１２−１〜１２−４と２×１光スイッチ１４−１〜１４−４との接続を行う。さらに、増設する光周波数ν5 の光信号送信部１１−５および光周波数ν6 の光信号送信部１１−６の出力を光分岐器１２−５，１２−６を介して第３の方路切替部１３−３に接続し、第３の方路切替部１３−３の出力側に２×１光スイッチ１４−５，１４−６を接続する。そして、２×１光スイッチ１４−１〜１４−６を第３の方路切替部１３−３の出力を選択するように切り替える。これにより、４波から６波への容量拡張を無瞬断で行うことができる。この状態を図２に示す。
【００１４】
なお、２×１光スイッチ１４は、第１の方路切替部１３−１と第３の方路切替部１３−３からの信号光の相対位相差を検出し位相調整を行って切り替える手段（例えば非特許文献１に記載のエラスティックメモリ付きのフレーム同期回路）を用いることにより、無瞬断での切り替えが可能である。また、２×１光スイッチ１４は受信側のノードに配置される構成としてもよい。
【００１５】
次に、第１の方路切替部１３−１を取り外し、６波対応の第４の方路切替部１３−４に置き換え、光分岐器１２−１〜１２−６と２×１光スイッチ１４−１〜１４−６との接続を行う。これにより、容量拡張後の二重系を構成することができる。この状態を図３に示す。なお、第４の方路切替部１３−４として、さらに大容量のものに交換し、上記と同様の手順により切り替えを行うことにより、さらなる容量拡張を行うことができる。
【００１６】
なお、第１の方路切替部１３−１および第２の方路切替部１３−２は４×４の方路切替を行う光スイッチ、第３の方路切替部１３−３および第４の方路切替部１３−４は６×６の方路切替を行う光スイッチを想定しているが、完全周回性アレイ導波路回折格子（以下、「ＡＷＧ」という）を用いる場合には次のような機能となる。光信号送信部１１−１〜１１−６の光周波数を適宜設定することにより、各光周波数の信号光を合波して２×１光スイッチ１４−１〜１４−６のいずれかに出力させることができる。例えば、光信号送信部１１−１〜１１−６の光周波数をν1 ，ν2 ，…，ν6 に設定した場合には、その光周波数多重信号光が２×１光スイッチ１４−１に出力され、ν2 ，ν3 ，…，ν6 ，ν1 に設定した場合には、その波長多重信号光が２×１光スイッチ１４−２に出力される具合である。
【００１７】
（第２の実施形態）
図４は、本発明の光伝送装置の第２の実施形態を示す。本実施形態は、第１の実施形態における方路切替部１３に光合波器２１−１〜２１−４および光分波器２２−１〜２２−４を付加した部分のみを示す。
【００１８】
方路切替部１３は、中心光周波数νi に対して少なくとも±Δνの透過帯域が設定されているものとする。例えば光周波数ν1 の信号光と同様に、光周波数ν1 ＋Δνの信号光および光周波数ν1 −Δνの信号光も同時に同じ入出力ポート間で切り替えが可能とする。本実施形態では、この機能を利用し、既存の光信号送信部の光周波数νi をνi ＋Δνに変更し、新たに増設する光信号送信部の光周波数をνi −Δνに設定する。そして、この２つの信号光を光合波器２１−１〜２１−４で合波して方路切替部１３の各入力ポートに接続し、各出力ポートの信号光を光分波器２２−１〜２２−４で分波して出力する。この方路切替部１３、光合波器２１−１〜２１−４および光分配器２２−１〜２２−４を、図１に示す方路切替部１３−２に代えて接続することにより、光伝送装置に収容できる光パスの数を２倍に拡張することができる。
【００１９】
具体的には、 100ＧHz間隔の各光パスを25ＧHzずらし、反対側に25ＧHzずらした光パスを新たに追加することにより、50ＧHz間隔の光パスとする。当初の 100ＧHz間隔の各光パスに対して±25ＧHzずらした光パスが方路切替部１３の同一のポートを入出力する構成とすれば、光伝送装置に収容できる光パスの数が２倍に拡張される。
【図面の簡単な説明】
【００２０】
【図１】本発明の光伝送装置の第１の実施形態を示す図。
【図２】第１の実施形態における容量拡張例を示す図。
【図３】第１の実施形態における容量拡張例を示す図。
【図４】本発明の光伝送装置の第２の実施形態を示す図。
【図５】従来の容量変更方法を実現する装置構成例を示す図。
【符号の説明】
【００２１】
１１  光信号送信部
１２  光分岐器
１３  方路切替部
１４  ２×１光スイッチ
２１  光合波器
２２  光分波器
【図１】
2005210278.tif 000003
【図２】
2005210278.tif 000004
【図３】
2005210278.tif 000005
【図４】
2005210278.tif 000006
【図５】
2005210278.tif 000007